【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
第１近隣メディア・ソースおよび第２近隣メディア・ソース上に元のフォーマットで格納されたまたはこれらを通じてアクセス可能な、入手可能な近隣メディア・コンテンツを示すデータを発行するステップと、
クライアント・デバイスにおいて前記入手可能な近隣メディア・コンテンツを示す前記データを受信するステップと、
前記クライアント・デバイス上において、前記入手可能な近隣メディア・コンテンツの少なくとも一部を識別する情報を表示するステップと、
前記元のフォーマットの前記入手可能な近隣メディア・コンテンツの少なくともある一部を前記クライアント・デバイスに、前記元のフォーマットでのその後の再生のために引き入れるステップと、
を備えている、方法。
【請求項２】
請求項１記載の方法であって、更に、
第３近隣メディア・ソース上に格納されたまたはそれを通じてアクセスすることができる入手可能な近隣メディア・コンテンツを示すデータを発行するステップを備えており、前記受信するステップは、更に、前記第３近隣メディア・ソースから前記入手可能な近隣メディア・コンテンツを示す前記データを受信することを含む、方法。
【請求項３】
請求項２記載の方法において、前記表示するステップは、更に、前記クライアント・デバイス上において、前記第３近隣メディア・ソースからの前記入手可能な近隣メディアの少なくとも一部を識別する情報を表示することを含む、方法。
【請求項４】
請求項３記載の方法において、前記引き入れるステップは、更に、前記第３近隣メディア・ソースから前記クライアント・デバイスに、前記入手可能な近隣メディア・コンテンツの少なくともある一部を引き入れることを含む、方法。
【請求項５】
請求項１記載の方法であって、更に、
前記近隣メディア・コンテンツが入手可能であることを示す表示を前記クライアント・デバイス上において生成するステップを含む、方法。
【請求項６】
請求項５記載の方法であって、更に、
前記クライアント・デバイスを用いて、前記入手可能な近隣メディア・コンテンツを識別する情報を受信したいことを示す要求を発生するステップを含む、方法。
【請求項７】
請求項６記載の方法であって、更に、
前記クライアント・デバイスが、メディア・コンテンツまたは前記入手可能な近隣メディア・コンテンツを識別する情報を、前記第１近隣メディア・ソースまたは前記第２近隣メディア・ソースの少なくとも１つから受信することを許可されているか否かを、前記第１近隣メディア・ソースまたは前記第２近隣メディア・ソースの少なくとも１つを用いて判定するステップを含む、方法。
【請求項８】
請求項１記載の方法であって、更に、
前記クライアント・デバイスが、メディア・コンテンツまたは入手可能な近隣メディア・コンテンツを識別する情報を、前記第１近隣メディア・ソースまたは前記第２近隣メディア・ソースの少なくとも１つから受信することを許可されているか否かを、前記第１近隣メディア・ソースまたは前記近隣第２メディア・ソースの少なくとも１つを用いて判定するステップを含む、方法。
【請求項９】
請求項１記載の方法において、前記第１および第２の近隣メディア・ソース上に格納されたまたはこれらを通じてアクセスすることができる前記入手可能な近隣メディア・コンテンツを示す前記データは、ブロードキャスト・プロトコルによって発行される、方法。
【請求項１０】
請求項１記載の方法において、前記第１近隣メディア・ソースは、パーソナル・コンピュータを含み、前記第２近隣メディア・ソースは、セット・トップ・ボックスを含む、方法。
【請求項１１】
請求項１記載の方法において、前記発行するステップにおいて、前記第１近隣メディア・ソース上に格納されたまたはこれを通じてアクセスすることができる前記入手可能な近隣メディア・コンテンツを示す前記データは、前記第２近隣メディア・ソース上に格納されたまたはこれを通じてアクセスすることができる前記入手可能な近隣メディア・コンテンツを示す前記データとは独立して発行される、方法。
【請求項１２】
請求項１記載の方法であって、更に、
前記クライアント・デバイスに引き入れるために、前記入手可能な近隣メディア・コンテンツから少なくとも第１メディア・コンテンツ・ファイルを示すユーザ入力を受信するステップを備えた、方法。
【請求項１３】
請求項１２記載の方法であって、更に、
前記第１メディア・コンテンツ・ファイルが既に前記クライアント・デバイス上に存在しているか否か判定を行うステップを備えた、方法。
【請求項１４】
少なくとも第１近隣メディア・ソースおよび第２近隣メディア・ソースであって、該第１および第２の近隣メディア・ソースの少なくとも１つが、当該第１近隣メディア・ソースおよび第２近隣メディア・ソースの少なくとも１つに元のフォーマットで格納されたまたはこれらを通じてアクセスすることができる入手可能な近隣メディア・コンテンツを示すデータを発行する、第１メディア・ソースおよび第２メディア・ソースと、
前記第１近隣メディア・ソースおよび前記第２近隣メディア・ソースの少なくとも１つと電子的に通信するクライアント・デバイスであって、該クライアント・デバイスは、クライアント・デバイスにおいて前記入手可能な近隣メディア・コンテンツを示す前記データを受信する入力システムと、前記入手可能な近隣メディア・コンテンツの少なくとも一部を識別する情報を表示するディスプレイ・デバイスと、前記入手可能な近隣メディア・コンテンツの少なくともある一部を前記クライアント・デバイスに、前記元のフォーマットでのその後の再生のために引き入れるプロセッサ・システムとを備えた、クライアント・デバイスと、
を備えた、システム。
【請求項１５】
請求項１４記載のシステムであって、更に、
第３近隣メディア・コンテンツ・ソースを備えており、該第３近隣メディア・コンテンツ・ソースは、それ自体に格納されたまたはそれ自体を通じてアクセスすることができる入手可能な近隣メディア・コンテンツを示すデータを発行し、前記クライアント・デバイスの前記入力システムが、前記第３近隣メディア・ソースから前記入手可能な近隣メディア・コンテンツを示す前記データを受信するために、前記第３近隣メディア・ソースと電子的に通信する、システム。
【請求項１６】
請求項１５記載のシステムにおいて、前記ディスプレイ・デバイスは、更に、前記第３近隣メディア・ソースからの前記入手可能な近隣メディアの少なくとも一部を識別する情報を表示する、システム。
【請求項１７】
請求項１６記載のシステムにおいて、前記引き入れるステップは、更に、前記第３近隣メディア・ソースから前記クライアント・デバイスに、前記入手可能な近隣メディア・コンテンツの少なくともある一部を引き入れることを含む、システム。
【請求項１８】
請求項１４記載のシステムにおいて、前記ディスプレイ・デバイスは、更に、前記第１および第２の近隣メディア・ソースの少なくとも１つから近隣メディア・コンテンツが入手可能であることを示す表示を生成する、システム。
【請求項１９】
請求項１８記載のシステムにおいて、前記クライアント・デバイスの前記プロセッサ・システムは、更に、前記入手可能な近隣メディア・コンテンツを識別する情報を受信したいことを示すデータを生成する、システム。
【請求項２０】
請求項１９記載のシステムにおいて、前記第１および第２の近隣メディア・ソースの少なくとも１つは、前記第１近隣メディア・ソースまたは前記第２近隣メディア・ソースの少なくとも１つからメディア・コンテンツまたは前記入手可能な近隣メディア・コンテンツを識別する情報を前記クライアント・デバイスが受信することを許可されているか否かを判定する、システム。
【請求項２１】
請求項１記載の方法において、前記入手可能なメディア・コンテンツの少なくともある一部を前記クライアント・デバイスに引き入れるステップは、ユーザ・プロファイルからの選択基準にしたがって、前記入手可能な近隣メディア・コンテンツの前記少なくともある一部を前記クライアント・デバイスに自動的にダウンロードすることを含む、方法。
【請求項２２】
請求項１４記載のシステムにおいて、前記プロセッサ・システムは、これに格納された背景スレッドを含み、該背景スレッドは、ユーザ・プロファイルからの選択基準にしたがって、前記入手可能な近隣メディア・コンテンツの前記少なくともある一部を前記クライアント・デバイスに自動的にダウンロードするように構成された、システム。
【請求項２３】
ユーザのクライアント・デバイスに、最新のメディア・コンテンツを維持する方法であって、
ユーザのメディアの好みにしたがって個人プロファイルを作成するステップと、
入手可能な近隣メディア・コンテンツを、少なくとも１つの近隣メディア・ソースから前記個人プロファイルに基づいて検索するステップと、
前記個人プロファイルにより定められた前記メディアの好みにしたがって、前記入手可能な近隣メディア・コンテンツの少なくとも一部を識別するステップと、
前記入手可能な近隣メディア・コンテンツの前記少なくとも一部を前記少なくとも１つの近隣メディア・ソースから前記クライアント・デバイスに、前記入手可能な近隣メディア・コンテンツの前記少なくとも一部のユーザ選択なしに自動的にダウンロードするステップと、
を備えた方法。